(57)【要約】      （修正有）【課題】情報データ作成者側から、データの使用者側へ真正性を有する情報データを迅速且つ確実に送信するデジタル情報データ取扱方法およびシステム、および画像データの真正性を保持するデジタルカメラ付携帯端末を提供する。【解決手段】鍵認証機関から付与される公開鍵および秘密鍵と、撮影した生画像データに時刻データ、位置データおよび方位データの少なくとも１つを付加した状態の画像処理データを取得するデジタルカメラと、撮影した画像処理データを公開鍵で暗号化して暗号化処理画像データを作成し、ダウンロードして秘密鍵で復号した複合化画像データを通信網を介して使用者端末側へ送信する作成者端末とを備える。また、作成者携帯端末は、撮影した生画像データに対する時刻データ等のデータを付加し、暗号化した暗号化処理画像データを作成する画像処理手段と、通信網を介して使用者端末側へ送信する送信手段とを備える。【選択図】  図１
2005295274.tif 000002
【特許請求の範囲】
【請求項１】
デジタルカメラが、鍵認証機関側から鍵証明書に添付される公開鍵およびこの公開鍵に対応した秘密鍵の付与を受けるステップと、
鍵証明書を格納したメディアカードをデジタルカメラのメモリに記憶させるステップと、
デジタルカメラが撮影した所望の被写体の生画像データを取得するステップと、
秘密鍵に含まれる署名アルゴリズムにて、上記生画像データに電子署名を行い、暗号化画像データを生成するステップと、
暗号化画像データを作成者端末側にダウンロードし、この暗号化画像データに対して、秘密鍵を用いて復号化画像データを生成するステップと、
復号化画像データを通信網を介して、使用者端末側へ送信するステップと、
上記使用者端末が上記公開鍵を用いて暗号化画像データを復号するステップとを具備することを特徴とするデジタル情報データ取扱方法。
【請求項２】
上記暗号化画像データを作成者端末にダウンロードし、この暗号化画像データに対して、秘密鍵により復号化画像データを生成するステップは、
暗号化画像データに、生画像データに付与された電子署名を含めて秘密鍵により復号化画像データを生成するステップを含むステップであることを特徴とする請求項１記載のデジタル情報データ取扱方法。
【請求項３】
上記暗号化画像データを作成者端末にダウンロードし、この暗号化画像データに対して、秘密鍵により復号化画像データを生成するステップは、
上記暗号化画像データに、生画像データに付与された電子署名を含めて秘密鍵により復号化画像データを生成すると共に、当該復号化画像データに含まれる生画像データに暗号化電子署名がなされたことを表記することを特徴とする請求項１記載のデジタル情報データ取扱方法。
【請求項４】
鍵認証機関から、鍵証明書に添付される公開鍵およびこの公開鍵に対応した秘密鍵の付与を受けるステップと、
鍵証明書を格納したメディアカードをデジタルカメラ付携帯端末のメディアドライブに読み取らせるステップと、
デジタルカメラ付携帯端末が撮影した所望の被写体の生画像データを取得するステップと、
秘密鍵に含まれる署名アルゴリズムにて、画像データに電子署名を行い、暗号化画像データを生成するステップと、
復号化画像データを通信網を介して、使用者端末側へ送信するステップと、
上記使用者端末が上記公開鍵を用いて上記暗号化画像データを復号するステップとを具備することを特徴とするデジタル情報データ取扱方法。
【請求項５】
鍵認証機関から付与される、鍵証明書に添付される公開鍵およびこの公開鍵に対応した秘密鍵と、撮影した生画像データに対する時刻データ，位置データおよび方位データの少なくとも１つを、付加した状態の画像処理データを取得するデジタルカメラと、
このデジタルカメラで撮影した上記画像処理データを上記公開鍵を用いて暗号化して暗号化画像データを作成すると共に、この暗号化画像データをダウンロードして上記秘密鍵にて復号化した復号化画像データを通信網を介して使用者側端末側へ送信する作成者端末とを具備したことを特徴とするデジタル情報データ取扱システム。
【請求項６】
鍵認証機関から付与される、鍵証明書に添付される公開鍵およびこの公開鍵に対応した秘密鍵と、撮影した画像データに対する時刻データ，位置データおよび方位データの少なくとも１つを付加した状態の画像処理データを作成すると共に、上記画像処理データを上記秘密鍵を用いて暗号化して暗号化画像データを作成することができるデジタルカメラ付携帯端末と、
上記デジタルカメラ付携帯端末から上記暗号化画像データを通信網を介して受信し、上記公開鍵を用いて上記暗号化画像データを復号する使用者端末とを具備したことを特徴とするデジタル情報データ取扱システム。
【請求項７】
鍵認証機関から付与される、鍵証明書に添付される公開鍵およびこの公開鍵に対応した秘密鍵と、撮影した画像データに対する時刻データ，位置データおよび方位データの少なくとも１つを付加し、上記秘密鍵により暗号化した暗号化画像データを作成する画像処理手段と、
上記暗号化画像データを通信網を介して使用者端末側へ送信する送信手段とを具備したことを特徴とするデジタルカメラ付携帯端末。
【発明の詳細な説明】
【技術分野】
【０００１】
本発明は、画像情報等の情報データがデジタル情報データとして取扱われる場合に、そのデジタル情報データの真正性が確保されるデジタル情報データ取扱方法および取扱システム並びにデジタル情報データ取扱システムに用いられるデジタルカメラ付携帯端末に係り、特にデジタル情報データが真正性が保持されたまま、作成者側から利用者側へ送信可能にするデジタル情報データ取扱方法および取扱システム並びにデジタル情報データ取扱システムに用いられるデジタルカメラ付携帯端末に関する。
【背景技術】
【０００２】
従来、デジタル情報データ取扱方法を実施するデジタル情報データ取扱システムとして、情報認証装置を構成するデジタルカメラにより撮影した画像データに取扱者が電子署名を行うことができるようにして、上記画像データの真正性を保持させるようにしたものが知られている。
【０００３】
この種のデジタル情報データ取扱システムとして、特開２００２−２１５０２９号公報（［特許文献１］参照）に開示されている。
【０００４】
図４に示すように、このデジタル情報データ取扱システム１によれば、情報認証装置を構成するデジタルカメラ２と、デジタル画像データがある特定時刻に存在していたことを証明するタイムスタンプ生成機関（打刻機能）３と、デジタルカメラ２における電子署名を行う際の秘密鍵に対応する公開鍵を登録すると共に、公開鍵に対して電子署名を発行する公開鍵認証機関４とをネットワークを介して通信可能に構成されている。
【０００５】
デジタルカメラ２は、タイムスタンプ生成機関３および公開鍵認証機関４に対して、通信ネットワーク網５を介して通信接続されている。
【０００６】
デジタルカメラ２は、撮像した画像データをデジタル画像データとして出力する撮像部６と、使用者名，撮像条件データやメモ等の個人情報を入力する個人情報入力装置７と、入力された個人情報を記憶する個人情報記憶装置８と、デジタルカメラ２に固有の情報である装置情報を記憶する装置情報記憶装置９と、タイムスタンプ生成機関３と通信ネットワーク網５を介して通信する通信装置１０と、デジタル画像データを記憶する第２の記憶手段としてのデータ記憶手段としてのデータ記憶装置１１と、デジタルデータを外部に出力するための出力端子１２と、デジタルカメラ２でデジタルデータを取り込んだことを認証するための認証識別子を算出する認証識別子算出部を備える、例えばＩＣカード１２とを備えている。
【０００７】
このＩＣカード１２には、デジタルカメラ２のあらゆる装置にて作成および保存されたデータを演算処理すると共に、所要の処理がなされた画像データを出力端子１３を介して、ＣＤまたはＭＤ等の画像データ記憶媒体（図示せず）にダウンロードすることができるようになっている。
【０００８】
そして、この画像データ記憶媒体は、真正性を有する画像データが記憶されたものとして取り扱うことができる。
【０００９】
個人情報入力装置７は、デジタルカメラ２を使用する画像作成毎に割り当てられたＩＤ，このＩＤに対応したパスワード等の個人識別情報、デジタルカメラ２での撮影条件やメモ等の作成者情報の入力が可能に構成されている。
【００１０】
個人情報記憶装置８は、ジタルカメラ２を使用する画像作成毎に割り当てられたＩＤと、このＩＤに対応したパスワードと、を暗号化した暗号化個人情報が格納されている。
【００１１】
ここで、ＩＤおよびパスワードにより、デジタルカメラ２の使用者の特定がなされる。
【００１２】
装置情報記憶装置９には、ジタルカメラ２に固有の情報である装置情報を暗号化した暗号化装置情報が格納されている。
【００１３】
ここで、装置情報は、例えばジタルカメラ２の使用者の秘密鍵により暗号化されたものである。
【００１４】
通信装置１０は、デジタルカメラ付携帯電話やＰＤＡ端末（情報通信端末）等のデジタルカメラ付携帯端末を利用して現在地点から最も近くにある基地局を特定し、通信ネットワークを介してデジタル画像データをタイムスタンプ生成機関３に送信するように構成されている。
【００１５】
また、公開鍵認証機関４側からデジタルカメラ２を使用する画像作成者の公開鍵が付与される。
【００１６】
デジタルカメラ２の使用者により撮像されたデジタル画像データは、当該デジタルカメラ２固有の秘密鍵を所持する者でしか取り扱うことができない。
【００１７】
すなわち、デジタルカメラ２を、秘密鍵を持たない他人が使用して撮影された画像データについては、その他人によって画像データ、例えば改竄等の取り扱いができないようになっている。
【００１８】
秘密鍵に対応した公開鍵を持つ者は、上記画像データを見ることができるが、画像データそのものを改竄することはできないようになっている。
【００１９】
そして、このように改竄されることのない画像データは、デジタルカメラ２の出力端子１３側から、画像データ記憶媒体側へダウンロードして汎用されるようになっている。
【特許文献１】特開２００２−２１５０２９号公報（第６頁左欄の第９行〜第１０頁右欄の第３８行および図１および図２）
【発明の開示】
【発明が解決しようとする課題】
【００２０】
従来のデジタル情報データ取扱システム１によれば、上記画像データの改竄が不可能であることから、デジタル画像データの客観性（真正性）を保持させることができる一方で、所望の記憶媒体へダウンロードして改竄のない証明力のある画像データの取り扱いに好適なシステムである。
【００２１】
昨今、このように所望の記憶媒体にダウンロードして使用される一方で、受取者側に対して、専用回線やインタネット等の通信回線網を介してタイムリに情報データを送信し、受信側にて情報データ記憶媒体から必要に応じてダウンロードする方法を採用することができる。
【００２２】
この方法によれば、情報データ記憶媒体を取り扱う関係から、作成者以外の者による改竄の虞や、情報データの変質（経時変化）の虞があることから、真正性のレベルを保持させたままの取り扱いができなくなるという不都合があった。
【００２３】
また、情報データ記憶媒体を取り扱う場合には、作成者側から使用者端末側へ持ち運びする必要があるので、その手間や時間がかかるという不便かあった。
【００２４】
更に、このような情報データを取り扱う場合、情報データの作成者側が真正性を有する情報データを提供する側であって、また、情報データの使用者側が、上記情報データの提供を受ける関係にあるとすれば、使用者側からすれば、作成者以外の者による改竄のない情報データが提供されることになり、使用者にとって極めて有用性ある情報データを得ることができる。
【００２５】
本発明は、上記事情に鑑みてなされたもので、情報提供者である情報データ作成者側から、情報データの受取者である使用者側へ真正性を有する情報データを迅速且つ確実に送信され、また、その情報データ受信者側にては、その情報データが信正性のある情報データとして取扱うことのできるデジタル情報データ取扱方法およびデジタル情報データ取扱システムを提供することを目的とする。
【００２６】
また、本発明の他の目的は、デジタルカメラ機能を備え、この撮影した画像データをこの画像データ作成者側から、当該画像データの真正性を保持したまま受取者である使用者側へ送信可能に設けたデジタルカメラ付携帯端末を提供することを目的とする。
【課題を解決するための手段】
【００２７】
上記目的を達成するために、本発明によれば、デジタルカメラが、鍵認証機関側から鍵証明書に添付される公開鍵およびこの公開鍵に対応した秘密鍵の付与を受けるステップと、鍵証明書を格納したメディアカードをデジタルカメラのメモリに記憶させるステップと、デジタルカメラが撮影した所望の被写体の生画像データを取得するステップと、秘密鍵に含まれる署名アルゴリズムにて、上記生画像データに電子署名を行い、暗号化画像データを生成するステップと、暗号化画像データを作成者端末側にダウンロードし、この暗号化画像データに対して、秘密鍵を用いて復号化画像データを生成するステップと、復号化画像データを通信網を介して、使用者端末側へ送信するステップと、上記使用者端末が上記公開鍵を用いて暗号化画像データを復号するステップとを具備することを特徴とするデジタル情報データ取扱方法を提供する。
【００２８】
上記目的を達成するために、本発明によれば、鍵認証機関から、鍵証明書に添付される公開鍵およびこの公開鍵に対応した秘密鍵の付与を受けるステップと、鍵証明書を格納したメディアカードをデジタルカメラ付携帯端末のメディアドライブに読み取らせるステップと、デジタルカメラ付携帯端末が撮影した所望の被写体の生画像データを取得するステップと、秘密鍵に含まれる署名アルゴリズムにて、画像データに電子署名を行い、暗号化画像データを生成するステップと、復号化画像データを通信網を介して、使用者端末側へ送信するステップと、上記使用者端末が上記公開鍵を用いて上記暗号化画像データを復号するステップとを具備することを特徴とするデジタル情報データ取扱方法を提供する。
【００２９】
上記目的を達成するために、本発明によれば、鍵認証機関から付与される、鍵証明書に添付される公開鍵およびこの公開鍵に対応した秘密鍵と、撮影した生画像データに対する時刻データ，位置データおよび方位データの少なくとも１つを、付加した状態の画像処理データを取得するデジタルカメラと、このデジタルカメラで撮影した上記画像処理データを上記公開鍵を用いて暗号化して暗号化画像データを作成すると共に、この暗号化画像データをダウンロードして上記秘密鍵にて復号化した復号化画像データを通信網を介して使用者側端末側へ送信する作成者端末とを具備したことを特徴とするデジタル情報データ取扱システムを提供する。
【００３０】
上記目的を達成するために、本発明によれば、鍵認証機関から付与される、鍵証明書に添付される公開鍵およびこの公開鍵に対応した秘密鍵と、撮影した画像データに対する時刻データ，位置データおよび方位データの少なくとも１つを付加した状態の画像処理データを作成すると共に、上記画像処理データを上記秘密鍵を用いて暗号化して暗号化画像データを作成することができるデジタルカメラ付携帯端末と、上記デジタルカメラ付携帯端末から上記暗号化画像データを通信網を介して受信し、上記公開鍵を用いて上記暗号化画像データを復号する使用者端末とを具備したことを特徴とするデジタル情報データ取扱システムを提供する。
【００３１】
上記目的を達成するために、本発明によれば、鍵認証機関から付与される、鍵証明書に添付される公開鍵およびこの公開鍵に対応した秘密鍵と、撮影した画像データに対する時刻データ，位置データおよび方位データの少なくとも１つを付加し、上記秘密鍵により暗号化した暗号化画像データを作成する画像処理手段と、上記暗号化画像データを通信網を介して使用者端末側へ送信する送信手段とを具備したことを特徴とするデジタルカメラ付携帯端末を提供する。
【発明の効果】
【００３２】
画像データ作成者側のデジタルカメラ側または作成者携帯端末側から使用者端末側へ真正性ある画像処理データを迅速且つ確実に送信することができる。
【００３３】
また、作成者携帯端末を用いる場合には、作成者携帯端末が１つあればよいので、大掛りな設備を必要としなく、設備が簡素にして、且つまたその取り扱いが簡便である。
【発明を実施するための最良の形態】
【００３４】
本発明にかかるデジタル情報データ取扱システムの実施形態について、添付図面を参照して説明する。
【００３５】
図１は、本発明のデジタル情報データ取扱システム２０の概要を示す図である。
【００３６】
デジタル情報データ取扱システム２０は、画像データ作成手段２１と、この画像データ作成手段２１により作成される画像処理データ３２を、インタネット等の通信網２６を介して送信することにより、この画像処理データ３２を受信する画像データ使用手段２２とより構成される。
【００３７】
画像データ作成手段２１は、デジタルカメラ２４と、このデジタルカメラ２４により撮影した生画像データ３２ａをダウンロードして画面表示させることのできる作成者端末２５とを備えている。
【００３８】
デジタルカメラ２４は、図１に示すように、被写体（図示せず）の生画像データ３２ａを取得するタイミングで操作するシャッタスイッチ２４ａと、ＧＰＳ衛星２３から送信される位置情報データａを取得して、デジタルカメラ２４のシャッタスイッチ２４ａ操作時の時刻データ３２ｂおよび位置データ３２ｃを演算処理する測位演算手段２４ｂと、シャッタスイッチ２４ａを押した瞬間に撮影された画像の方位（仰角および方位角）を演算して方位データ３２ｄを生成する位置・方位演算手段２４ｃと、メモリ機能を有するメディアカード、例えばＩＣカード３１を装着することにより、情報データを読み込むことができるＩＣカードドライブ２４ｄと、生画像データ３２ａや各データ３２ｂ〜３２ｄを記憶するメモリ２４ｅと、画像処理データ３２が、例えばカメラ内においてモニタ表示される表示装置２４ｆとから構成される。
【００３９】
画像処理データ３２は、図２（ａ）に示すように、生画像データ３２ａと共に、各データ３２ａ〜３２ｄが表示されるようになっている。
【００４０】
ＩＣカード３１は、生画像データ３２ａの他に画像処理データ３２を記憶している。
【００４１】
また、ＩＣカード３１には、デジタルカメラ２４を用いる画像データ作成者が、鍵認証機関から付与される、鍵証明書に添付される公開鍵ｘおよびこの公開鍵ｘに対応した秘密鍵ｙを記憶している。
【００４２】
公開鍵ｘは、画像処理データ３２に画像データ作成者が電子署名する際に用いられるもので、画像処理データ３２に公開鍵に含まれる署名アルゴリズムにて電子署名（暗号化）３４することにより、暗号化処理画像データ３３が生成されるようになっている。
【００４３】
そして、この暗号化処理画像データ３３は、ＩＣカードドライブ２４ｄを介してメモリ２４ｅに記憶されるようになっている。
【００４４】
更に、暗号化処理画像データ３３は、図２（ｂ）に示すように、暗号化画像データ３３ａと共に、各データ３２ａ〜３２ｄおよび電子署名を記す確認印が表示装置２４ｅにてモニタ表示されるようになっている。
【００４５】
作成者端末２５は、デジタルカメラ２４側から暗号化処理画像データ３３をダウンロードして記憶すると共に、復号化して画像データ使用手段２２側へ送信するものである。
【００４６】
作成者端末２５には、メモリ２５ａと、本人確認・改竄検証手段２５ｂと、表示画面２５ｃとを備えている。
【００４７】
本人確認・改竄検証手段２５ｂは、メモリ２５ａに記憶した暗号化処理画像データ３３に秘密鍵ｙに含まれる署名アルゴリズムにてより電子署名することにより、本人確認を行うことができると同時に、改竄の有無を検出することができるものである。
【００４８】
表示画面２５ｃには、図３（ｃ）に示すように、復号化画像データ３５がモニタ表示可能に設けられる。
【００４９】
この復号化画像データ３５は、暗号化処理画像データ３３、すなわち、図２（ｂ）に示す、暗号化画像データ３３ａ，各データ３２ｂ〜３２ｄおよび確認印３２ｅの全体を電子署名（復号化）３６した承認印４３ｅが表示装置２４ｆにてモニタ表示されるようになっている。
【００５０】
画像データ使用手段２２は、使用者端末２７を備え、作成者端末２５側から送信される復号化画像データ３５を受信することができる。
【００５１】
使用者端末２７は、受信した復号化画像データ３５を記憶するメモリ２７ａと、復号化画像を表示する表示画面２７ｂを備えている。
【００５２】
復号化画像を表示する表示画面２７ｂには、図２（ｃ）に示す復号化画像データ３５と同一のイメージである復号化画像データ３５が表示される。
【００５３】
従って、使用者端末２７の表示装置２７ｂには、画像処理データ３２から暗号化された暗号化処理画像データ３３から復号された生画像データ３２ａが表示されるようになる。
【００５４】
次に、デジタル情報データ取扱システム２０の作用について図３を参照して説明する。
【００５５】
画像作成者が用いるデジタルカメラ２４が、鍵認証機関側から公開鍵が添付される鍵証明書およびこの公開鍵に対応した秘密鍵の付与を受ける＜ステップ１＞。
【００５６】
両鍵を電子署名により格納したＩＣカード３１をデジタルカメラ２４のメモリ２４ｅに記憶させる＜ステップ２＞。
【００５７】
画像作成者が用いるデジタルカメラ２４が、所望の被写体の生画像データ３２ａを撮影する。その際、デジタルカメラ２４の表示装置２４ｆにより、図２（ａ）に示す生画像３２ａおよび位置データ３２ｂ，時刻データ３２ｃおよび方位データ３２ｄの各データが表示されているか、モニタする＜ステップ３＞。
【００５８】
秘密鍵ｙに含まれる署名アルゴリズムにて、生画像データ３２ａに電子署名を行い、暗号化処理画像データ３３を生成する。その際に、デジタルカメラ２４の表示装置２４ｆにより、図２（ｂ）に示す暗号化画像データ３３ａ，各データ３２ｂ〜３２ｄおよび確認印３２ｅが表示されているか、モニタする＜ステップ４＞。
【００５９】
暗号化処理画像データ３３を、作成者端末２５にダウンロードし、この暗号化処理画像データ３３に対して、秘密鍵ｙを用いて複合化画像データ３５を生成する。
【００６０】
この際に、作成者端末２５の表示画面２５ｃにより、図２（ｃ）に示す復号化画像３５ａ，各データ３２ｂ〜３２ｄおよび確認印３２ｅが表示されているか、モニタする＜ステップ５＞。
【００６１】
作成者端末２５側から、複合化画像データ３５を通信網２６を介して、使用者端末２７側へ送信する＜ステップ６＞。
【００６２】
複合化画像データ３５を受信した使用者端末２７側にて、複合化画像３５ａを表示する。この際に、使用者端末２７の表示画面２７ｂにより、図２（ｄ）に示す復号化画像３５ａ，各データ３２ｂ〜３２ｄおよび承認印３５ｂが表示されているか、モニタする＜ステップ７＞。
【００６３】
以上の＜ステップ１＞〜＜ステップ７＞を経ることにより、デジタル画像作成者側のデジタルカメラ２４にて撮影した生画像が、暗号化処理および複合化処理が行なわれながら、画像データ作成手段２１側から画像データ使用手段２２側へ送信されるようになる。
【００６４】
従って、画像データ使用手段２２側へ送信される生画像データ３２ａを含む画像処理データ３２は、使用者端末２７側にて真正性を有するものであって、これが特に緊急性且つ信憑性を有する画像データとして取り扱われる場合には、画像データ使用手段２２側にあっては、極めて有用なデジタル情報データとして取り扱うことができる。
【００６５】
（第２の実施形態）
次に、本発明のデジタル情報データ取扱システムの第２の実施形態について、第１の実施形態を示す図１〜図３と同一部分に同一符号を附した図４〜図６を参照して説明する。
【００６６】
図４にデジタル情報データ取扱システム１００を示す。
【００６７】
このデジタル情報データ取扱システム１００は、第１の実施形態における画像データ作成手段２１のデジタルカメラ２４および作成者端末２５に代え、画像データ作成手段１０１を設けたものである。
【００６８】
この画像データ作成手段１０１は、デジタルカメラ付携帯端末（以下、作成者携帯端末という。）１０２を用いるようにしたものである。
【００６９】
作成者携帯端末１０２は、図４に示すように、被写体（図示せず）の生画像データ３２ａを取得するタイミングで操作するシャッタスイッチ１０２ａと、ＧＰＳ衛星２３から送信される位置情報データａを取得して、作成者携帯端末１０２のシャッタスイッチ１０２ａ操作時の時刻データ３２ｂおよび位置データ３２ｃを演算処理する測位演算手段１０２ｂと、シャッタスイッチ１０２ａを押した瞬間に撮影された画像の方位（仰角および方位角）を演算して方位データ３２ｄを生成する位置・方位演算手段１０２ｃと、メモリ機能を有するメディアカード、例えばＩＣカード１０３を装着することにより、情報データを読み込むことができるＩＣカードドライブ１０２ｄと、画像処理データ３２が、作成者携帯端末１０２側にてモニタ表示される表示装置１０２ｅと、ＩＣカードドライブ１０２ｄにて読み込んだＩＣカード１０３のデータを記憶するメモリ１０２ｆと、生画像データ３２ａおよび各データ３２ｂ〜３２ｄを取り込んで画像処理データ３２を生成する画像処理手段１０２ｇと、画像処理データ３２を使用者端末２７側へ送信する送信手段１０２ｈとから構成される。
【００７０】
画像処理データ３２は、図５（ａ）に示すように、生画像データ３２ａと共に、各データ３２ａ〜３２ｄが表示されるようになっている。
【００７１】
ＩＣカード１０３は、生画像データ３２ａの他に画像処理データ３２を記憶している。
【００７２】
また、ＩＣカード１０３には、作成者携帯端末１０２を用いる画像データ作成者が、鍵認証機関から付与される、鍵証明書に添付される公開鍵ｘを記憶している。
【００７３】
公開鍵ｘは、画像処理データ３２に画像データ作成者が電子署名する際に用いられるもので、画像処理データ３２に公開鍵に含まれる署名アルゴリズムにて電子署名することにより、暗号化処理画像データ３３が生成されるようになっている。
【００７４】
そして、この暗号化処理画像データ３３は、ＩＣカードドライブ１０２ｄを介してメモリ１０２ｆに記憶されるようになっている。
【００７５】
更に、暗号化処理画像データ３３は、図５（ｂ）に示すように、暗号化画像データ３３ａと共に、各データ３２ａ〜３２ｄおよび電子署名を記す確認印が表示装置１０２ｅにてモニタ表示されるようになっている。
【００７６】
通信網２６を介して通信接続される画像データ使用手段２２の構成は、第１の実施形態と同様構成であるので説明を省略する。
【００７７】
次に、デジタル情報データ取扱システム１００の作用について図６を参照して説明する。
【００７８】
画像作成者が用いる作成者携帯端末１０２が、鍵認証機関側から公開鍵証明書（公開鍵ｘが添付される）およびこの添付された公開鍵ｘに対応して認証される秘密鍵ｙの付与を受ける＜ステップ１＞。
【００７９】
秘密鍵ｙを電子署名により格納したＩＣカード１０３を作成者携帯端末１０２のメモリ１０２ｆに記憶させる＜ステップ２＞。
【００８０】
画像作成者が用いる作成者携帯端末１０２が、所望の被写体の生画像データ３２ａを撮影する。その際、作成者携帯端末１０２の表示装置１０２ｅにより、図５（ａ）に示す生画像データ３２ａおよび位置データ３２ｂ，時刻データ３２ｃおよび方位データ３２ｄの各データが表示されているか、モニタする＜ステップ３＞。
【００８１】
秘密鍵ｙに含まれる署名アルゴリズムにて、生画像データ３２ａに電子署名を行い、暗号化処理画像データ３３を生成する。その際に、作成者携帯端末１０２の表示装置１０２ｅにより、図５（ｂ）に示す暗号化画像データ３３ａ，各データ３２ｂ〜３２ｄおよび承認印３５ｂが表示されているか、モニタする＜ステップ４＞。
【００８２】
作成者携帯端末１０２側から、暗号化処理画像データ３３を通信網２６を介して、使用者端末２７側へ送信する＜ステップ５＞。
【００８３】
暗号化処理画像データ３３を受信した使用者端末２７側にて、暗号化画像データ３３ａを復号する。この際に、使用者端末２７の表示画面２７ｂにより、図５（ｃ）に示す復号化画像３５ａ，各データ３２ｂ〜３２ｄおよび承認印３５ｂが表示されているか、モニタする＜ステップ６＞。
【００８４】
以上の＜ステップ１＞〜＜ステップ６＞を経ることにより、デジタル画像作成者側の作成者携帯端末１０２にて撮影した生画像データ３２ａが、暗号化処理および複合化処理が行なわれながら、画像データ作成手段１０１側から画像データ使用手段２２側へ送信されるようになる。
【００８５】
従って、画像データ使用手段２２側へ送信される生画像データ３２ａを含む画像処理データ３２は、使用者端末２７側にて真正性を有するものであって、これが特に緊急性且つ信憑性を有する画像データとして取り扱われる場合には、画像データ使用手段２２側にあっては、極めて有用なデジタル情報データとして取り扱うことができる。
【００８６】
また、デジタル情報データ取扱システム１００によれば、作成者携帯端末１０２を画像作成者が携行して、所望の被写体の撮影現場からでも真正性を有する生画像データ３２ａを迅速にして確実に使用者端末２７側へ送信することができる。
【００８７】
また、同時に、このように撮影現場から直ちに使用者端末２７側へ送信することができることから、送信途中で改竄される虞れも殆んどない。
【００８８】
従って、使用者端末２７側にて、より一層の真正性を有するものであって、これが特に緊急性且つ信憑性を有する画像データとして取り扱われる場合には、画像データ使用手段２２側にあっては、更に一層有用なデジタル情報データとして取り扱うことができる。
【００８９】
更に、デジタル情報データ取扱システム１００によれば、画像データ作成手段１０１側には、作成者携帯端末１０２が１つあればよいので、大掛りな設備を必要としなく、デジタル情報データ取扱システム１００は、設備が簡素にして、且つまたその取り扱いが簡便である。
【００９０】
なお、本発明の上述した実施形態によれば、デジタルカメラ２４および作成者携帯端末１０２に表示装置２４ｆおよび１０２ｅを設けて、画像処理データ３２，暗号化処理画像データ３３および復号化画像データ３５をモニタすることができるようにしたが、暗号化および複合化処理が取られているので必ずしもモニタ表示する必要はない。
【図面の簡単な説明】
【００９１】
【図１】本発明のデジタル情報データ取扱システムの第１の実施形態を示す概要図。
【図２】図１に示すデジタル情報データ取扱システムにおいて、デジタル情報データの作成者端末側から使用者端末側に表示される画像データの表示画面例を示し、（ａ）は、画像処理データの表示画面例、（ｂ）は、暗号化画像データの表示画面例、（ｃ）は、復号化画像データの表示画面例および（ｄ）は、使用者端末に表示される復号化画像データの表示画面例。
【図３】本発明の第１の実施形態におけるデジタル情報データ取扱方法を実施するステップを示すフロー図。
【図４】本発明のデジタル情報データ取扱システムの第２の実施形態を示す概要図。
【図５】図４に示すデジタル情報データ取扱システムにおいて、デジタル情報データの作成者側から使用者側に表示される画像データの表示画面例を示し、（ａ）は、画像処理データの表示画面例、（ｂ）は、暗号化画像データの表示画面例、（ｃ）は、使用者端末に表示される復号化画像データの表示画面例。
【図６】本発明の第２の実施形態におけるデジタル情報データ取扱方法を実施するステップを示すフロー図。
【図７】従来のデジタル情報データ取扱システムの概要図。
【符号の説明】
【００９２】
２０  デジタル情報データ取扱システム
２１  画像データ作成手段
２２  画像データ使用手段
２３  ＧＰＳ衛星
２４  デジタルカメラ
２４ａ  シャッタスイッチ
２４ｂ  測位演算手段
２４ｃ  位置・方位演算手段
２４ｄ  ＩＣカードドライブ（メディアドライブ）
２４ｅ  表示装置
２４ｆ，２５ａ，２７ａ  メモリ
２５  作成者端末
２５ｂ  本人確認・改竄検証手段
２５ｃ，２７ｂ  表示画面
２６  通信網
２７  使用者端末
３１  ＩＣカード（メディアカード）
３２  画像処理データ
３２ａ  生画像データ
３２ｂ  時刻データ
３２ｃ  位置データ
３２ｄ  方位データ
３２ｅ  確認印
３３  暗号化処理画像データ
３３ａ  暗号化画像データ
３４  暗号化電子署名
３５  復号化画像データ
３５ａ  復号化画像
３５ｂ  承認印
３６  復号化電子署名
１００  デジタル情報データ取扱システム
１０１  画像データ作成手段
１０２  作成者携帯端末（デジタルカメラ付携帯端末）
１０２ａ  シャッタスイッチ
１０２ｂ  測位演算手段
１０２ｃ  位置・方位演算手段
１０２ｄ  ＩＣカードドライブ
１０２ｅ  表示装置
１０２ｆ  メモリ
１０２ｇ  画像処理手段
１０２ｈ  送信手段
１０３  ＩＣカード
ａ  位置情報データ
ｘ  公開鍵
ｙ  秘密鍵
【図１】
2005295274.tif 000003
【図２】
2005295274.tif 000004
【図３】
2005295274.tif 000005
【図４】
2005295274.tif 000006
【図５】
2005295274.tif 000007
【図６】
2005295274.tif 000008
【図７】
2005295274.tif 000009